(57)【要約】  本発明はWCDMAを基礎とする無線通信方式の方法と装置に関する。移動通信におけるワインドアップ(wind-up)状態の終了時の検知により所望信号対干渉比目標(SIRtarget)を修正する。すわなち、アンワインディング(unwinding)が開始した際に、通常状態のアウターループ電力制御と同様となるように調整するためである。本発明の本質は所望信号対干渉比目標(SIRtarget)の値にワインドアップ(wind-up)状態の開始前の所望信号対干渉比目標(SIRtarget)の値に可能な限り近似する値を設定することであり、即時に、その後の通常状態のアウターループ電力制御のための正確な変動の測定を続けるなどのためである。このような方法で、無線通信方式における干渉のためにアンワインディング(unwinding)時間を減少させ、さらに、無線リンクの品質に加え、容量を増加させる。
2009505540.tif 000002
【特許請求の範囲】
【請求項１】
基地局(102,103)または移動局(104)から送信される受信情報信号(107,108)を基礎として、受信所望信号対干渉比(SIRrec)を評価する段階と、
アウターループが通常状態中の、必須所望信号対干渉比(SIRreq)に近似する所望信号対干渉比目標(SIRtarget)を確定する段階と、
前記アウターループのワインドアップの開始(402)を検知する段階と、
前記アウターループの前記ワインドアップ中の該所望信号対干渉比目標(SIRtarget)を確定する段階と、
前記アウターループのアンワインディングの開始(403)を検知する段階と、を具備し、
前記信号対干渉比(SIRtarget)を通常状態のアウターループ電力制御に調整するために、前記アウターループのアンワインディングの開始時(403)の前記信号対干渉比(SIRtarget)を修正することをさらに含むことを特徴とする、CDMA技術を基礎とする無線通信方式のためのアウターループ電力制御方法。
【請求項２】
前記アウターループのアンワインディングの開始時(403)に、前記アウターループの前記ワインドアップ開始時(402)前に確定する元の値(401)に近似する適切な値が、所望信号対干渉比(SIRtarget)に等しくなることを特徴とする、請求項１に記載の無線通信方式のためのアウターループ電力制御方法。
【請求項３】
所望信号対干渉比目標(SIRtarget)と受信所望信号対干渉比(SIRrec)の差が前記アウターループの前記ワインドアップ上の特定の検知限界(M)を超過している時の前記アウターループの前記ワインドアップ開始時(402)を検知することを特徴とする、請求項１に記載の無線通信方式のためのアウターループ電力制御方法。
【請求項４】
前記アウターループのアンワインディング開始時(403)に、前記アウターループ内で検知された前記ワインドアップ状態の開始時(402)に確定された所望信号対干渉比(SIRtarget)から検知限界(M)を減じることを特徴とする、請求項３に記載の無線通信方式のためのアウターループ電力制御方法。
【請求項５】
プログラム可能な電子装置を少なくとも一つ構成することを特徴とする、請求項１から請求項４のいずれか一つに記載の方法によって動作する無線通信方式のためのアウターループ電力制御装置。
【請求項６】
プログラム可能な電子装置であって、汎用プロセッサ、デジタル信号プロセッサ(DSP)、特定用途向けIC(ASIC)、プログム可能カード(FPGA)または、これらのいずれかの組み合わせから選択されていることを特徴とする、請求項５に記載の無線通信方式のためのアウターループ電力制御装置。
【請求項７】
無線通信方式の基地局(102,103)から、または移動局(104)から送信される情報信号(107,108)を受信する機能を有する無線周波受信機(203)を構成することを特徴とする、請求項５または請求項６に記載の無線通信方式のためのアウターループ電力制御装置。
【請求項８】
無線通信方式の基地局(102,103)へ、または移動局(104)へ電力制御情報を送信する機能を有する無線周波数送信機(202)を構成することを特徴とする、請求項５から請求項７のいずれか一つに記載の無線通信方式のためのアウターループ電力制御装置。
【請求項９】
無線通信網制御装置を結合した、請求項５から請求項８のいずれか一つに記載の無線通信方式のためのアウターループ電力制御装置。
【請求項１０】
無線通信方式のための移動局を結合した、請求項５から請求項８のいずれか一つに記載の無線通信方式のためのアウターループ電力制御装置。
【発明の詳細な説明】
【技術分野】
【０００１】
本発明は電気通信分野、特に無線通信方式のための携帯電話基盤における基地局と携帯電話双方の製造に貢献する産業に応用することができる。
【０００２】
特に、以下に記載された発明は通信分野の範囲の移動携帯電話通信網におけるアウターループ電力制御方式のための方法および装置に関する。
【０００３】
本発明の一つの目的はアウターループの通常状態の検知、ワインドアップ(wind-up)状態、アンワインディング(unwinding)状態を含むアウターループ処理を用いて電力制御を可能にし、そして、後者のアンワインディング(unwinding)状態に対して、所望信号対干渉比目標を通常状態のアウターループ電力制御工程に迅速に適応するため所望信号対干渉比目標の適切な変更を提供する。
【０００４】
本発明の他の目的はワインドアップ(wind-up)状態の最後におけるアウターループ電力制御の収束時間を軽減すること及び、不可避なワインドアップ(wind-up)とアンワインディング(unwinding)現象が発生した時に無線通信方式の容量を減少させる不要な干渉を防止することである。
【背景技術】
【０００５】
1998年1月、欧州電気通信標準化機構(ETSI)はユニバーサル・モバイル・テレコミュニケーション・システム(UMTS)によって、基礎技術が選定された(非特許文献１参考)。提案された主要無線インターフェースは広帯域符号分割多元接続(WCDMA)プロトコルであり、完全に第三世代(3G)携帯電話通信の必要要件を満たすための可能性を提示することを特徴としている。3Gの必要条件である高速データ通信速度と、次第に要求が厳しくなるサービス品質(QoS)により、新しい計画戦略の展開が必要である。電力制御方式戦略は、特に前記方式のアウターループの実装に用いられる処理であり、恐らくそれらの戦略の中で多くの研究が行われているものである。
【０００６】
上記、電力制御方式を一般的に以下のように説明する。本発明は方法を提供するためのアウターループの機能性なので、本方式の他の構成要素の結果となる。
【０００７】
全ての使用者が同周波数帯域を共有することと周波数の符号が完全には直行しないという事実による(非特許文献２参考)、干渉制限技術を考慮すると、WCDMAを基礎とする携帯電話網の電力制御方式が必要である。
【０００８】
WCDMAにおける電力制御方式の最終的な目的は、基地局から携帯装置または端末装置へのダウンリンクまたは携帯電話から基地局へのアップリンクから成る個々のリンクにおいて最少の送信電力レベル(まさにこの態様が本発明の焦点となる)によって必須のサービス品質を達成することである。
【０００９】
WCDMA網における電力制御方式の主目的は以下の通りである。
・近いものへのキャンセルと遠いものへの影響
距離の評価または基地局へのフェーディングを取り入れること無く全ての移動局が同じ電力を送信する事象では、最も近い携帯電話は最も遠い端末への著しい干渉を意味する。
・深刻なフェーディングに対する保護
・その後の容量の改善によるネットワーク内干渉の最小化
・移動局の電池のより長い持続期間
WCDMAのための電力制御方式は概して3つの異なる処理を用いて実装されている。
・オープンループについて
接続開始時のランダムアクセス処理中は移動局と基地局はアップリンク、ダウンリンクにおける電力損失を評価する。そして、そのような損失に応じてそれらの送信電力を調整する。
・クローズドループまたはインナーループについて
また、高速電力制御(1500Ｈｚ)とも呼ばれ、以下の3段階で構成されている。
1)受信装置に相当する端末(基地局または携帯電話装置)は受信所望信号対干渉比(SIRrec)の値を、特定リンクに必須なサービス品質に応じて所望信号対干渉比目標(SIRtarget)と比較する。そして、それは後述するアウターループ処理によって設定される。
2)前記受信機に相当する端末は、送信電力を特定の値によって(通常は1dB)増加(SIRrec < SIRtargetの場合)または減少させなければならない(SIRrec > SIRtargetの場合)ことを表す電力制御ビットを送信する。
3)送信装置(基地局または携帯電話)は前もって設定されている量に、電力を増加または減少させる。
・アウターループ(OLPC、アウターループ電力制御)について
クローズドループ(10-100Hz)より非常に遅い、そして、既定の品質目標を維持し有効にするため所望信号対干渉比目標(SIRtarget)を設定する。リンク品質の基準または測定はフレームエラーレート(FER)であり、また同等にブロックエラーレート(BLER)となり、所望信号対干渉比(SIRtarget)の関数となる。インナーループは信号対干渉比目標(SIRtarget)に近似する受信所望信号対干渉比(SIRrec)の維持に役立つことを考慮すると、ブロックエラーレート(BLER)はこの目標値によって最終的に決定される。従って、特定のフェーディング環境のサービス品質を達成するために、信号対干渉比目標(SIRtarget)は環境にあった適切な値に調整される必要がある。
【００１０】
受信所望信号対干渉比(SIRrec)は時折、所望信号対干渉比目標(SIRtarget)より常に低くなることがある。なぜならば、通信路の状態が不意に悪化することによって、受信装置は送信装置によって送信された電力制御ビットを適切に受け取らなくなる、または、送信装置がリンクを利用可能にする最大電力に到達するからである。
【００１１】
この環境の結果は受信したフレームエラーレート(PERrec)がフレームエラーレート目標(PERtarget)より増大することである。すなわち、リンクの品質は劣化することとなる。劣化は通信が切断されるのに十分なほど増大しない可能性があるが、通信は所望するより低い品質で維持される。
【００１２】
もし、通信を継続するのであれば、劣化した品質ではあるが、いわゆるワインドアップ(wind-up)状態またはアウターループの状態を発生することができる。アウターループ電力制御(OLPC)方法は目標品質基準を達成しようと努めるために所望信号対干渉比目標(SIRtarget)を増加させる。すなわち、受信所望信号対干渉比(SIRrec)を除いてフレームエラーレート目標(PERtarget)は前記の理由(通信路の状態の悪化または送信装置の飽和状態)によって所望信号対干渉比目標(SIRtarget)に従うことができない。
【００１３】
この状態では電力制御(OLPC)方法は所望信号対干渉比目標(SIRtarget)を不意の伝播状態の悪化または電力制限の前のレベルより非常に高いレベルに至るまで永久に増加し続ける。
【００１４】
状況がその後、改善する時または電力制限が消滅した時に、受信所望信号対干渉比(SIRrec)は最終的にはフレームエラーレート目標(PERtarget)に相当するより非常に高い値である所望信号対干渉比目標(SIRtarget)に到達することができる。結果として、受信したフレームエラーレート(PERrec)は必要な比率より非常に低くなった時取得される。従って、通信路中の干渉は、容量を減少させかつ、他のリンクの品質を劣化させるため増加する。
【００１５】
この好ましくない状態はアウターループ電力制御が適切な値の所望信号対干渉比目標(SIRtarget)の減少に到達するまで維持される。すなわち、値はフレームエラーレート目標(PERtarget)に到達する。
【００１６】
所望信号対干渉比目標(SIRtarget)に対しての減少するための処理は、前記状態が終了した後、すなわち、ワインドアップ(wind-up)が終了した後、アンワインディング(unwinding)状態またはアウターループの状態として知られている。そして、本発明はまさにこの状態のための方法を提供する。
【００１７】
課題は通常利用されるアウターループ電力制御(OLPC)アルゴリズム(非特許文献３参考)の特徴によるものであって、所望信号対干渉比目標(SIRtarget)を減少するための処理は極めて遅い。低速収束は下り刻み幅に前記アルゴリズムを利用している事実により、ほぼフレームエラーレート目標(PERtarget)(標準値は音声サービス(voice service)のための10-2とテレビ会議サービス(videoconference service)のための10-3)程度のdBsを測定する。すなわち、非常に小さいため、各dB下げるために数十秒が必要なことを意味する。
【００１８】
それはアウターループ電力制御(OLPC)方法によって設定される所望信号対干渉比目標(SIRtarget)の上り刻み幅と下り刻み幅の間に差があることを指摘することに関係がある。実際には、上りの刻み幅は下りの刻み幅より非常に大きく、後者はdBs程度のフレームエラーレート目標(PERtarget)のオーダーであって、上り刻み幅は約1dBであるとして、言及されている。これは関連性を有しており、なぜならば、アウターループ電力制御(OLPC)方法は所望信号対干渉比目標(SIRtarget)の増加に伴う状態に迅速に反応できることを意味しているからである。そして、本発明の重要性に取り入れている。
【００１９】
前段落で説明されている要因を背景として、多様な解決方法がアウターループ電力制御のワインドアップ(wind-up)状態を回避するために説明がされている(特許文献１参考)。前記文献は以下のワインドアップ(wind-up)検知方法を提供している。ワインドアップ(wind-up)状態は所望信号対干渉比目標(SIRtarget)と受信所望信号対干渉比(SIRrec)との間の差が特定の限界または閾値を超えた時に表れる。ワインドアップ(wind-up)状態になった時点で検知され、前記のワインドアップ(wind-up)状態が続く時間のために所望信号対干渉比目標(SIRtarget)の最大値について特許文献１は異なるメカニズムを証明している。最後に、特許文献１において、検知基準は前記アンワインディング(unwinding)処理について証明されている。すなわち、処理はワインドアップ(wind-up)処理の終了を明らかにし、及び受信所望信号対干渉比(SIRrec)が所望信号対干渉比目標(SIRtarget)に到達できるときに開始する。
【００２０】
特許文献１に電力制御について記載されているにもかかわらず、実際のアンワインディング(unwinding)処理のための基準については証明がない。すなわち、検知できる唯一の方法は定義されているが、アウターループのこの状態におけるアウターループの具体的な工程は明記されていない。むしろ、ループ内での通常工程状態に相当する一つとして仮定される。つまり、言い換えれば、以上の通り、通信路内での干渉増加に伴って極めて遅く減少し、容量減少と他のリンクの品質劣化が起こる。
【００２１】
注目すべきは、アウターループのワインドアップ(wind-up)を回避するための方法の存在は、その後のアンワインディング(unwinding)処理を減少することであると特許文献１の例の説明において達成されている。しかし、そのような処理は完全には回避されていない。
【００２２】
【特許文献１】アメリカ特許出願第2003148769号
【非特許文献１】ETSI、1998年7月“The ETSI UMTS Terrestrial Radio Access (UTRA) ITU-R RTT Candidate Submission”
【非特許文献２】ジョン・ウィリー・アンド・サンズ社刊、ホルマ、トスカラ著“WCDMA for UMTS, Radio Access for Third Generation Mobile Communications”
【非特許文献３】2002年、ウィリー社刊、ホルマ・H、トスカラ・A著“WCDMA for UMTS”
【発明の開示】
【課題を解決するための手段】
【００２３】
本発明はとりわけ、背景技術で説明された異なる特徴の一つ一つの前記の課題を解決する。
【００２４】
提供される移動通信方式のためのアウターループ電力制御方法と装置は、一またはいくつかの符号分割多重アクセス(CDMA)プロトコロルに基づいて、特に第三世代技術のために設計され、ワインドアップ(wind-up)状態の終了時の所望信号対干渉比目標(SIRtarget)を修正する。また言い換えると、アンワインディング(unwinding)処理が開始する。
【００２５】
さらに具体的には、本発明のアウターループ電力制御方法と装置によって、アンワインディグ(unwinding)開始時の前記目標(SIRtarget)はワインドアップ(wind-up)の開始時の前の所望信号対干渉比目標(SIRtarget)の値と適切に近似した値と等しくなる。そのような適切な値は、電力制御がアウターループのアンワインディング(unwinding)状態を終了した後すぐの通常状態で決定した変化を続けるために、本発明はアウターループ電力制御のアンワインディング(unwinding)状態に入った時の前記所望信号対干渉比目標(SIRtarget)にワインドアップ(wind-up)状態となる前に設定された所望信号対干渉比目標(SIRtarget)の値に可能な限り近似する値を設定する。
【００２６】
所望信号対干渉比目標(SIRtarget)の適切な変更が、アウターループ電力制御(OLPC)のアンワインディング(unwinding)開始時の本発明によって実行されるとともに、前記目標(SIRtarget)ならびに電力は迅速に通常状態のアウターループに調整される。
【００２７】
アウターループのアンワインディング(unwinding)状態の開始時の所望信号対干渉比目標(SIRtarget)を変更することと、ワインドアップ(wind-up)状態の開始時の値に可能な限り近似した値に等しくすることの理由は、標準となったアウターループ電力制御(OLPC)がワインドアップ(wind-up)時とその後のアンワインディング(unwinding)現象を開始した時から不完全に動作を開始するためである。実際には、ワインドアップ(wind-up)を検知した時からそれが終了するまで実行され、前記アウターループ電力制御(OLPC)は通常状態における動作が許可されない、すなわち、所望信号対干渉比目標(SIRtarget)は永久には増加し続けない。要するに、本発明はワインドアップ(wind-up)終了時のアウターループ電力制御方法を提供し、すなわち、アンワインディング(unwinding)の開始時、実際のアウターループ電力制御(OLPC)が通常状態の動作を中止する時、言い換えれば、ワインドアップ(wind-up)状態に入る前である値と可能な限り近似する値に等しい所望信号対干渉比目標(SIRtarget)に変更する。
【００２８】
発明の一つの特徴は、基地局または携帯電話からの受信情報信号に基づく無線通信方式のためのアウターループ電力制御方法であり、以下の段階からなる。
i)基地局からまたは携帯電話から送られる受信信号に基づく受信所望信号対干渉比(SIRrec)を評価する。
ii)アウターループの通常状態中、必須所望信号対干渉比(SIRreq)に近似する所望信号対干渉比目標(SIRtarget)を設定する。
iii)アウターループのワインドアップ(wind-up)状態の開始を検知する。
iv)アウターループのワインドアップ(wind-up)状態中の所望信号対干渉比目標(SIRtarget)を設定する。
v)アウターループのアンワインディング(unwinding)状態開始を検知する。
vi)アウターループのアンワインディング(unwinding)開始時に所望信号対干渉比(SIRtarget)を変更する。最終的には通常状態のアウターループ電力制御に調整するためである。
【００２９】
結果として、アウターループ電力制御方法における本発明によって、新しいアンワインディング(unwinding)メカニズムが提供される。この状態の開始時に設定された所望信号対干渉比目標(SIRtarget)は、新しい伝播状態のために適切な所望信号対干渉比目標(SIRtarget)に可能な限り近似するものと等しくなる。すなわち、どのような状況でも、フレームエラーレート目標(FERtarget)に相当することをみたす。
【００３０】
本発明は、前記特許文献１と比較して多数の改善点が存在し、それは大幅にアンワインディング(unwinding)処理が続く時間を減少させ及び、通信路内の干渉を減少させる。その結果として、容量と他のリンクの品質を増加させる。
【００３１】
本発明の他の特徴は、無線通信方式のためのアウターループ電力制御装置に関連しており、前記方法によって動作する少なくとも１つのプログラム可能な電子装置から成る。プログラム可能な電子装置は汎用プロセッサ、デジタル信号プロセッサ(DSP)、特定用途向けIC(ASIC)、プログム可能カード(FPGA)または、これらのいずれかの組み合わせである。汎用プロセッサは望ましくはマイクロプロセッサーまたは他の可能な選択肢であって、従来のプロセッサー、マイクロ制御装置または任意の状態機械である。プログラム可能な電子装置は多重マイクロプロセッサー、マイクロプロセッサーと一つ以上のDSP、または前記方法を含む異なる段階の実行による、その他の構造であって、順次または同時に割り振られる。
【００３２】
提案される無線通信方式のためのアウターループ電力制御装置は、基地局または携帯電話から送信される情報信号を受信できる無線周波受信機を任意に含むことができる。対応する基地局または携帯電話に電力制御情報を送信可能な無線周波送信機は、さらに、前記装置を組み込むことができる。そのようなアウターループ電力制御装置は無線通信方式における無線通信網制御装置、ユーザ端末装置または携帯電話に組み込むことができる。
【００３３】
本発明の最後の特徴として、無線ネットワーク制御装置(RNC、呼処理のためのロジックが含まれている)と移動局(UE:ユーザー機器または遠隔端末)を含んでおり、互いに、上述した無線通信方式のためのアウターループ電力制御装置を含む装置である。
【００３４】
本発明は、１つあるいは複数のCDMAプロトコロル標準をサポートするどのような無線通信方式にも応用が可能である。例えば、WCDMA、IS-95、CDMA2000 standards、the HDR specification等。
【発明を実施するための最良の形態】
【００３５】
図面の簡単な説明において、実例と非限定的な文字を用いて示された説明の不可欠な部分のための一組の図について、最良の実用的な実施例に従い本発明の特徴をより理解することを助ける目的として説明を補足する。
【００３６】
図１はWCDMA移動通信方式の一部(100)を示す。本発明からは離れ、図で示される要素は良く知られているので、詳細は示さない。重要な一つの要素はユーザ端末装置または移動局(104)であって、車両のアイコンによって示される。WCDMA移動通信方式もまた、いくつかの基地局(102,103)または、UTMSネットワーク内のノードBからなり、組み込みソフトプログラム、インターフェースカード、メモリ、そして、プロセッサを包含する。システムの一部には他の機能との間で、呼処理を提供する無線ネットワーク制御装置(101)または、RNCを含む。２つの基地局(102,103)と移動局(104)はコードレスインターフェースの終点を表している。互いの基地局(102,103)は地上通信線(105,106)を通じて、RNCに結合される。以下、ダウンリンクデータ信号(107)とアップリンクデータ信号(108)によって移動局(104)は基地局(102)と通信すると仮定する。
【００３７】
図2は基地局(102)と移動局(104)のお互いの局の一部(200)を示し、本発明の基礎となる原理を含む。図で言及されて示された要素の既知の解釈は記述しない。なぜならば、無線周波数送信機(202)と無線周波数受信機(203)は最先端の技術で詳述されるからである。お互いの基地局(102)と移動局(104)は制御装置(201)、送信機(202)、受信機(203)を含んでいる。このようにして、基地局(102)の場合、受信信号はアップリンク(108)に相当し、移動局(104)の場合、受信する信号はダウンンリンク(107)となり、お互いのそれらは受信機(203)を通して制御装置(201)に到達する。本発明の電力制御装置の目的は制御装置(201)の中に組み込まれ、そして、出力が増加または低下した時に、送信機(202)を通して受信局に指示する命令が遅られ、以下に示すアウターループ電力制御方法の結果に応じて、電力制御のためにクローズドループの中で境界としてふるまう所望信号対混信比目標(SIRtarget)を設定することが目的となる。
【００３８】
本発明のアウターループ電力制御方法はワインドアップ(wind-up)状態検知メカニズムを組み入れる。その結果、アウターループが通常状態を抜ける時とワインドアップ(wind-up)工程状態を開始する時に状況が検知される。これらは、通常状態とワインドアップ(wind-up)の状況を識別する既知であるアウターループ電力制御アルゴリズムによって、前記特許文献１の図7、図8に説明されている。
【００３９】
本発明の方法の目的もまた、ワインドアップ(wind-up)現象の最後のための検知メカニズムを組み込み、前記の定義によって、アンワインディング(unwinding)処理の開始と一致する。
【００４０】
これらの現象の過程の後に、通常状態の時間が破棄されてから、通常状態におけるアウターループ電力制御のための適切な所望信号対干渉比目標(SIRtarget)に一致する電力レベルに再調整する目的のため、本発明の目的によって、制御装置(201)内の実行段階が図３のブロック図(300)に詳述されている。ブロック(301)において、既知のアルゴリズムにて、ワインドアップ(wind-up)状態で所望信号対干渉比目標(SIRtarget)の計算が行われる。アンワインディング(unwinding)検知機(302)はワインドアップ(wind-up)の終了と、アンワインディング(unwinding)の開始を決定することを可能にする。そして、最後のブロック(303)において、通常状態におけるアウターループ電力制御の動作のために適切な値に調整されるように、所望信号対干渉比目標(SIRtarget)が変更される。アンワインディング(unwinding)開始時における前記所望信号対干渉比目標(SIRtarget)の変更は発明の目的であり、下記で説明する図4によって示される。
【００４１】
時間上の電力制御の変化におけるアンワインディング(unwinding)状態開始時とワインドアップ(wind-up)状態の終了時として検知されている開始時時点は、ともに以前に既知のメカニズムとして知られ、例えば、特許文献１に表されている。本発明の方法の目的は所望信号対干渉比目標(SIRtarget)を修正することであり、アウターループのワインドアップ(wind-up)の開始(402)の前に有している値である元の値(401)と等しいまたは、可能な限り近似する値を与える。この値(401)は通常状態でのアウターループ電力制御の実行を破棄する前に確定した所望信号対干渉比目標(SIRtarget)であり、最後の正しい値である。所望信号対干渉比目標(SIRtarget)の変動のために、アウターループの通常状態によって決定される電力レベルは、ワインドアップ(wind-up)状態が終わった後、直ちに継続する。
【００４２】
図４を説明すると、最後の正しい値(401)がワインドアップ(wind-up)状態前に存在している値であることが分かる。ワインドアップ(wind-up)中の、所望信号対干渉比目標(SIRtarget)の値は正しくない。なぜならば、所望信号対干渉比目標(SIRtarget)が無限に増加しつづけないようにするため、ワインドアップ(wind-up)状態中に作用している全てのメカニズムはアウターループ電力制御を制限または取り消す役割があるからである。図４はまた、点線でいわゆる必須所望信号対干渉比(SIRrequired)を示す。点線はフレームエラーレート目標(FERtarget)を満たす理論上の受信所望信号対干渉比(SIRrec)の最小値を定義する。計測所望信号対干渉比(SIRmeasured)もまた、実線として表される。そして、この比率は無線ネットワーク内の基地局または移動電話の制御装置(201)によって最初に実行される受信所望信号対干渉比(SIRrec)の実際の評価である。
【００４３】
所望信号対干渉比目標(SIRtarget)の最後の正しい値(401)を選択するために本発明の方法は以下のメカニズムを提案する。図４で表されるように、もし、ワインドアップ(wind-up)検知が前記所望信号対干渉比目標(SIRtarget)と受信所望信号対干渉比(SIRrec)の間の検知限界(M)を使い提供されると、望ましい適用がなされる。この場合、検知機(302)によるワインドアップ(wind-up)状態の検知はアウターループのワインドアップ(wind-up)開始の時(402)に起こる。前記検知機(302)はその後、ワインドアップ(wind-up)状態の終了時も決定し、アンワインディング(unwinding)の開始時(403)も検知する。この点(403)においては、このメカニズムは所望信号対干渉比目標(SIRtarget)から検知限界(M)と等しい量減少させる。このメカニズムは、このように、ワインドアップ(wind-up)の開始(402)の前の元の値(401)に非常に近似する値を再度、取得し、所望信号対干渉比目標(SIRtarget)に値を与える。
【００４４】
図４のグラフ(400)で理解できるように、アンワインディング(unwinding)状態の開始時(403)の後の直後の点(404)において、所望信号対干渉比目標(SIRtarget)の値はワインドアップ(wind-up)中の設定値(406)から検知限界(M)を減じた後、取得し、固定値とすることができる、また、ワインドアップ(wind-up)メカニズムの適用によって一定の制限内で変動値とすることができ、必須所望信号対干渉比(SIRrequired)のわずか下に位置し、通信路のわずかな品質低下を伴う。しかし、この品質低下は非常に短時間であり、すでに言及したとおり、所望信号対干渉比目標(SIRtarget)を後に増加させなければならない時のアウターループ電力制御ホップアルゴリズムは非常に早いものとして知られている。加えて、短時間の間の、この品質低下は利用者によって観測することはできない。なぜならば、ワインドアップ(wind-up)現象のすべての持続時間中の利用者の通信中、例えば、もし利用者がエレベーターの中に通話中の携帯電話を持ち込んだ場合、利用者はさらに低下した品質を有するからである。前記検知限界(M)より多いまたは少ないいずれかの減少は、本発明によって保護されると考えられる。
【００４５】
無線通信方式のための方法の提案が含まれる新しいアンワインディング(unwinding)メカニズムを伴う大きな利点はワインドアップ(wind-up)状態の終了時のアウターループ電力制御の収束時間を大幅に減らすことにある。そして、結果として、システムの容量を減少させる不必要な干渉を妨げる。
【００４６】
前記の設計では本発明の原理が表されていた。それでも、詳述していない他の方法でさえも、同じ要素と目的を組み込むことは可能である。例えば、発明は、無線通信網制御装置(201)内で実行することができる分離した機能のブロックによって表されるとはいえ、いずれかのブロックの機能は一つまたはいくつかの適切なプログラム処理装置を使い実行することができる。
【００４７】
同様に、発明はWCDMAから離れ、他の標準のみならず、基地局、ユーザー端末装置、移動局などによって信号を受信する電力制御についてにも応用することができる。
【００４８】
この仕様書が草案された見地は常に広くかつ、非限定的な感覚で考慮すべきである。
【図面の簡単な説明】
【００４９】
【図１】本発明の目的に関連する移動基幹施設、利用者の携帯端末、基地局と遠隔ネットワーク制御装置それぞれの要素を含む、最先端の技術として知られた移動通信方式の一部として示す。
【図２】本発明に関連する基地局の部分または携帯電話の部分について、最先端の技術によってブロック図を示す。
【図３】前図そして、本発明の目的であるアンワインディング(unwinding)方法に相当することを含む基地局または携帯電話の制御装置の要素で実行している段階をブロック図を示す。
【図４】アウターループのアンワインディング(unwinding)の開始時に所望信号対干渉比目標(SIRtarget)から減じなければならないワインドアップ(wind-up)状態の検知限界が存在することによる本発明の方法の考えられる実施例に従い、時間とともに所望信号対干渉比目標(SIRtarget)の変化を表すグラフを示す。
【図１】
2009505540.tif 000003
【図２】
2009505540.tif 000004
【図３】
2009505540.tif 000005
【図４】
2009505540.tif 000006
【国際調査報告】
2009505540.tif 000007
2009505540.tif 000008
2009505540.tif 000009
2009505540.tif 000010